(57)【要約】【技術課題】  集合住宅の浴室等のフロアードレインを、横枝管及び立主管改修時に併せて改修を行い、延命化を図りたい。【解決手段】  トラップ本体１内の底部からトラップ本体１内に立ち上げられた受け口３内に下方からインサート管１０を挿入する。次に、トラップ本体１の底部廻りにシリコン剤を均一に塗布する。次に、トラップ本体１内に調整管５内を経由して上方から本体カバー１１を挿入する。次に、本体カバー１１の受け口カバー部１３の上端縁１３ａと受け口３の上端縁３ｂ及びインサート管１０の上端縁１０ａに固定環１４を被せて一体に固定する。次に、横枝管２３をインサート管１０に曲管等を介して接続し、改修工事を終る。【選択図】        図２
2005083159.tif 000002
【特許請求の範囲】
【請求項１】
トラップ本体内の底部からトラップ本体内に立ち上げられた受け口の流出口内に下方から挿入されるインサート管と、前記トラップ本体の調整管内を経由して上方から挿入できる外径の外壁部を有し、且つこの外壁部の一部に開口部を形成し、且つ外壁部の下端を断面Ｕ字状に折り曲げて受け口カバー部を形成して成る本体カバーと、前記本体カバーをトラップ本体内に落し込んだ後、前記受け口カバー部の上端縁と受け口の上端縁及びインサート管の上端縁に被せて一体に固定するための固定環と、から成るフロアードレイン改修部材。
【請求項２】
ａ．トラップ本体内の受け口の流出口に続く集水管を切断又は前記受け口の流出口から取り外す、
ｂ．次に、トラップ本体内及び受け口内を清掃することにより、付着している錆等を除去する、
ｃ．次に、インサート管の先端側の外周面に接続剤を塗布し、この接着剤を塗布したインサート管を前記受け口の流出口から挿入して、受け口の上端縁とインサート管の上端縁のレベルを合わせる、
ｄ．次に、トラップ本体内の底部に充填材を充填する、
ｅ．次に、前記トラップ本体の調整管を経由してトラップ本体内に本体カバーを落し込み、この本体カバーの外壁部でトラップ本体の内面を被い、併せて受け口の外面を受け口カバー部で被う、
ｆ．次に、インサート管、受け口、受け口カバー部の上端縁に固定環を被せてインサート管及び受け口並びに受け口カバー部の上端縁を一体に固定する、
ｇ．ことを特徴とするフロアードレインの改修工法。
【発明の詳細な説明】
【技術分野】
【０００１】
本発明は、既存の集合住宅における浴室系統排水管の改修時に必要となるフロアードレイン部分の改修部材とこの改修部材を用いて行うフロアードレインの改修工法に関する。
【背景技術】
【０００２】
既存の集合住宅における浴室系統排水管の経年化対策として、事前の配管耐力診断調査結果により、立て主管及び横枝管の全面更新工事あるいは更生工事が必要となる場合がある。
しかしながら、浴室内洗い場に設置してある「フロアードレイン」は、建設時の防水層スラブと一体となって組み込まれ、これに階下天井内配管と接続されているために、取り外しができないことから、所謂盲腸管として既存管のまま残されているのが現状である。
このため、折角他の主管及び横枝管の改修を行っても、このフロアードレイン部分は錆落し等の清掃を行うだけで、未改修のままであることから、改修済部分に比較して汚れが溜り易く、後日トラブルが発生しやすいと云う問題がある。
【発明の開示】
【発明が解決しようとする課題】
【０００３】
本発明は、斯る点に鑑みて提案されるものであって、その目的は、従来、未改修のまま残すことを余儀なくされているフロアードレイン部分を、主管や横枝管の改修時に併せて、同時に改修を行うための改修部材と、この改修部材を用いた改修工法を提供することである。
【課題を解決するための手段】
【０００４】
上記目的を達成するため、請求項１に記載の発明においては、フロアードレイン改修部材において、トラップ本体内の底部からトラップ本体内に立ち上げられた受け口の流出口内に下方から挿入されるインサート管と、前記トラップ本体の調整管内を経由して上方から挿入できる外径の外壁部を有し、且つこの外壁部の一部に開口部を形成し、且つ外壁部の下端を断面Ｕ字状に折り曲げて受け口カバー部を形成して成る本体カバーと、前記本体カバーをトラップ本体内に落し込んだ後、前記受け口カバー部の上端縁と受け口の上端縁及びインサート管の上端縁に被せて一体に固定するための固定環と、から成ることを特徴とするものである。
【０００５】
更に、請求項２に記載の発明においては、フロアードレインの改修工法において、
ａ．トラップ本体内の受け口の流出口に続く集水管を切断又は前記受け口の流出口から取り外す、
ｂ．次に、トラップ本体内及び受け口内を清掃することにより、付着している錆等を除去する、
ｃ．次に、インサート管の先端側の外周面に接続剤を塗布し、この接着剤を塗布したインサート管を前記受け口の流出口から挿入して、受け口の上端縁とインサート管の上端縁のレベルを合わせる、
ｄ．次に、トラップ本体内の底部に充填材を充填する、
ｅ．次に、前記トラップ本体の調整管を経由してトラップ本体内に本体カバーを落し込み、この本体カバーの外壁部でトラップ本体の内面を被い、併せて受け口の外面を受け口カバー部で被う、
ｆ．次に、インサート管、受け口、受け口カバー部の上端縁に固定環を被せてインサート管及び受け口並びに受け口カバー部の上端縁を一体に固定する、
ｇ．ことを特徴とするものである。
【発明の効果】
【０００６】
本発明は以上のように、フロアードレイン及びこの廻りを含めて改修を可能としたことにより、従来は手付かずであったフロアードレインの延命化を図ることができる。
【実施例１】
【０００７】
以下に、請求項１に記載のフロアードレインの改修部材について、添付の図面を基に詳細に説明する。
図１は、フロアードレインと改修部材を分解して示した説明図である。この図１において、１はトラップ本体であって、このトラップ本体１は、上部にストレーナ装着口２を形成し、底部の中央に立ち上げた受け口３を形成し、周囲に鍔状にフロアー固定フランジ４を形成した構成から成る。
５はストレーナ装着口２の高さを調整するための調整管であって、この調整管は、前記ストレーナー装着口２内において位置調整後、止めねじ６により固定される。
【０００８】
７は前記調整管５の上端に受台７ａを介して装着されるストレーナ、８は椀であって、以上は既設のものである。
以下に説明するのが今回提案の改修部材であって、１０は前記トラップ本体１の受け口３の流出口３ａに下方から挿入される樹脂製のインサート管であって、図３（Ａ）（Ｂ）（Ｃ）に詳細を示す。１１は外壁部１２の下端を内側に９０°折り曲げ、更に９０°上方に折り曲げて受け口カバー部１３を形成した本体カバーであって、外壁部１２には開口部１２ａが形成されており、この本体カバー１１を図４（Ａ）（Ｂ）（Ｃ）に詳細を示す。
【０００９】
１４は前記インサート管１０の上端縁１０ａ、受け口３の上端縁３ｂ、本体カバー１１の受け口カバー部１３の上端縁１３ａを固定する逆Ｕ字状の固定溝１５を形成した固定環であって、この固定環１４の詳細を図５（Ａ）（Ｂ）（Ｃ）に示す。
図２は上記したトラップ本体１内に各部材を組み付け、且つ改修を全て終了した状態時の断面図であって、１６はトラップ本体１と本体カバー１１内に充填したコーキング材である。
【実施例２】
【００１０】
本実施例２は、請求項２に記載した改修工法に関し、図６〜図１３に基づいてその詳細を説明する。図６は、改修前の浴室２０のフロアー２１に取り付けられたフロアードレイン２１、集水管２２、横枝管２３を示す。
先ず、作業に当っては、
１．階下の浴室天井（バスリブ等）２４を解体する。
２．既存立主管及び横枝管を２３取り外す。
注）上階からの浴室集水管２２を階下天井スラブ面２５より５ｃｍ程度下で切断          し、その端面をバリ取りする（図７）。
３．上階浴室のストレーナー（目皿）７、受け台７ａを調整管５から取り外す。
４．引き続き、トラップ本体１内の椀８を取り外す。
５．トラップ本体１内の受け口３廻りの「サビ」を金属ブラシ等で除去する（図８）        。
６．引き続き、集水管２２内面の「汚泥物及びサビ」を電動ドリルの先端に取りつけ      た金属ブラシ等で除去する（図９）。
７．上記５及び６で錆等を除去した部分に付着している埃あるいは塵等を掃除機等を      用いて吸い取る。
注）トラップ本体１内の受け口３廻りと集水管２２の内面にサビおよび突起物が          ないことを確認する。
８．さらに、揮発性のアルコール又はベンジン等を布に染み込ませ、受け口３、集水      管２２の周囲を十分に拭き取る。
９．上記８の作業終了後、トラップ本体１の受け口３の内面及び集水管２２の内面を    乾燥する。
【００１１】
１０．下階から集水管２２内にインサート管１０を既設配管切断面に突きあたるまで仮      挿入する。
１１．上階の集水管２２から突き出したインサート管１０に集水管２２の最端部分をマ      ーキングする（図１０）。
１２．集水管２２からインサート管１０を抜き取り、上記１１でマーキングした部分を      切断し、その管端の糸面取りをする。
１３．インサート管１０の外面には、インサート管１０突端部より１０ｍｍ程度下から      均一に薄く、シリコン材等を塗布する（図１１）。
１４．下階から集水管２２へインサート管１０を挿入する。
１５．上階の集水管２２上部にインサート管１０が到達した時、その隙間から下方に押      し出されたシリコン剤の余剰樹脂が出ていることを確認する。
１６．上記１５の余剰剤を素早く拭き取る。
１７．トラップ本体１の底部廻りにシリコン剤を均一に塗布する（図１２、図１３）。
注）充填するシリコン剤は、カバー本体１１をトラップ本体１内に落し込んだ後          、カバー本体１１の開口部１２ａより多少はみ出る程度の量とする。
１８．上記１７の作業完了後、素早くカバー本体１１をトラップ本体１内に落し込む。    
１９．カバー本体１１の開口部１２ａから指先又はコーキングヘラにより既設トラップ      本体１とカバー本体１１との隙間のコーキング剤１６を平坦に仕上げる（図１４）      。
２０．カバー本体１１の開口部１２ａよりはみ出した余剰剤のシリコン等を素早く抜き    取る。
２１．インサート管１０及びカバー本体１１を組立完了後、固定環１４の裏面に接着剤      を塗布して受け口３、受け口カバー部１３及びインサート管１０の上縁３ｂ、１３      ａ、１０ａに固定環１４の固定溝１５部分を被せる。
注）はみ出した接着剤は、素早く拭き取る。
以上でフロアードレイン廻りの改修を終る。
【００１２】
２２．次に、下階の集水管２２内にインサートしたインサート管１０にメカ継手又はＤ      Ｖ継手を接合する。
２３．次に、該当の浴室２０の洗い場２１側から、固定環１４のところに椀８を被せ、      受台７ａを調整管５に取り付けたのち、この受け台７ａにストレーナ７を装着し、      その上で調整管５の高さ調整を行い、止めねじ６で調整管５をトラップ本体１に固      定する。
２４．次に、トラップ本体１内に水を流し、封水の状況が正常に機能していることを確      認する。
２５．下階の更新工事完了後、天井等の建築仕上げ工事を行う。
【図面の簡単な説明】
【００１３】
【図１】本発明に係る改修部材とフロアードレインの分解説明図。
【図２】既設のフロアードレインを改修した状態の説明図。
【図３】インサート管の説明図。
【図４】本体カバーの説明図。
【図５】固定環の説明図。
【図６】既設の集合住宅であって、改修対象となる浴室のフロアードレイン、集水管、横枝管の説明図。
【図７】改修工程の説明図。
【図８】改修工程の説明図。
【図９】改修工程の説明図。
【図１０】改修工程の説明図。
【図１１】改修工程の説明図。
【図１２】改修工程の説明図。
【図１３】改修工程の説明図。
【図１４】改修工程の説明図。
【符号の説明】
【００１４】
１  トラップ本体
２  調整管
３  受け口
５  調整管
７  ストレーナー
８  椀
１０  インサート管
１１  本体カバー
１４  固定環
【図１】
2005083159.tif 000003
【図２】
2005083159.tif 000004
【図３】
2005083159.tif 000005
【図４】
2005083159.tif 000006
【図５】
2005083159.tif 000007
【図６】
2005083159.tif 000008
【図７】
2005083159.tif 000009
【図８】
2005083159.tif 000010
【図９】
2005083159.tif 000011
【図１０】
2005083159.tif 000012
【図１１】
2005083159.tif 000013
【図１２】
2005083159.tif 000014
【図１３】
2005083159.tif 000015
【図１４】
2005083159.tif 000016